(57)【要約】【課題】血液循環を促進し、深層気体旋回流マッサージ機能を有する精密マッサージ盤構造を提供する。【解決手段】血液循環を促進し、深層気体旋回流マッサージ機能を有する精密マッサージ盤構造のマッサージ盤１０上には、複数のボールソケット１１，１２が形成される。ボールソケット１１，１２それぞれの内側には、マッサージ球体Ｒ１，Ｒ２の外径に合致する円弧部が設けられ、円弧部には、マッサージ球体Ｒ１，Ｒ２が取り付けられる。マッサージ球体Ｒ１，Ｒ２は、頂部及び底部がボールソケット１１，１２から露出されて自由に転動し、マッサージ盤１０の上下両辺から露出されたマッサージ球体Ｒ１，Ｒ２により人体をマッサージする。【選択図】図１０
0003188324.tif 000002
【実用新案登録請求の範囲】
【請求項１】
マッサージ盤上には、複数のボールソケットが形成され、
前記ボールソケットそれぞれの内側には、マッサージ球体の外径に合致する円弧部が設けられ、前記円弧部には、前記マッサージ球体が取り付けられ、
前記マッサージ球体は、頂部及び底部が前記ボールソケットから露出されて自由に転動し、前記マッサージ盤の上下両辺から露出された前記マッサージ球体により人体をマッサージすることを特徴とする血液循環を促進し、深層気体旋回流マッサージ機能を有する精密マッサージ盤構造。
【請求項２】
前記マッサージ盤は円盤体であることを特徴とする請求項１に記載の血液循環を促進し、深層気体旋回流マッサージ機能を有する精密マッサージ盤構造。
【請求項３】
前記マッサージ盤は楕円盤体であることを特徴とする請求項１に記載の血液循環を促進し、深層気体旋回流マッサージ機能を有する精密マッサージ盤構造。
【請求項４】
前記マッサージ盤は、内輪に設けられた内径が小さめの複数の第１のボールソケットと、外輪に設けられた内径が大き目の複数の第２のボールソケットと、を含み、
前記第１のボールソケットには、外径が小さめの第１のマッサージ球体が取り付けられ、
前記第２のボールソケットには、外形が大き目の第２のマッサージ球体が取り付けられることを特徴とする請求項１に記載の血液循環を促進し、深層気体旋回流マッサージ機能を有する精密マッサージ盤構造。
【請求項５】
互いに隣接した前記ボールソケット間には補強リブが接続されることを特徴とする請求項１に記載の血液循環を促進し、深層気体旋回流マッサージ機能を有する精密マッサージ盤構造。
【請求項６】
前記マッサージ盤は、回転ベース中に取り付けられ、
前記回転ベースは、モータの回転軸に接続され、前記モータの前記回転軸により前記回転ベース上の前記マッサージ盤が回転されることを特徴とする請求項１に記載の血液循環を促進し、深層気体旋回流マッサージ機能を有する精密マッサージ盤構造。
【考案の詳細な説明】
【技術分野】
【０００１】
本考案は、血液循環を促進し、深層気体旋回流マッサージ機能を有する精密マッサージ盤構造に関し、特に、血液循環を促進し、深層気体旋回流マッサージ機能を有するマッサージ盤技術に関する。
【背景技術】
【０００２】
従来技術に係る自由に転動する複数の球を有するマッサージ盤は、盤体上に複数の収容室が形成されている。各収容室は最小幅を有し、開口が形成されている。各収容室の開口直径は、収容室から球が外れないように最小幅より小さくし、上述した盤体が回転されると各球が収容室内で自由に転動してマッサージを行う。しかし、上述した複数の自由に転動する球を有するマッサージ盤は、盤体上の球の一辺だけが収容室から露出されているため、一辺のマッサージ効果しか得ることができなかった。そのため、この従来技術の問題点を改善する技術が求められていた。
【考案の概要】
【考案が解決しようとする課題】
【０００３】
本考案の目的は、マッサージ盤上に複数のボールソケットを形成し、各ボールソケットの内部には、マッサージ球体の外径に合致した円弧部が形成され、この円弧部は、マッサージ球体を取り付けるために用い、マッサージ球体は、頂部及び底部がボールソケットから露出されて自由に転動し、マッサージ盤の上下両辺から露出されたマッサージ球体により人体の血液循環を促進させて気体旋回流マッサージ機能を得ることができる血液循環を促進し、深層気体旋回流マッサージ機能を有する精密マッサージ盤構造を提供することにある。
【課題を解決するための手段】
【０００４】
上記課題を解決するために、本考案の第１の形態によれば、マッサージ盤上には、複数のボールソケットが形成され、前記ボールソケットそれぞれの内側には、マッサージ球体の外径に合致する円弧部が設けられ、前記円弧部には、前記マッサージ球体が取り付けられ、前記マッサージ球体は、頂部及び底部が前記ボールソケットから露出されて自由に転動し、前記マッサージ盤の上下両辺から露出された前記マッサージ球体により人体をマッサージすることを特徴とする血液循環を促進し、深層気体旋回流マッサージ機能を有する精密マッサージ盤構造が提供される。
【０００５】
前記マッサージ盤は円盤体であることが好ましい。
【０００６】
前記マッサージ盤は楕円盤体であることが好ましい。
【０００７】
前記マッサージ盤は、内輪に設けられた内径が小さめの複数の第１のボールソケットと、外輪に設けられた内径が大き目の複数の第２のボールソケットと、を含み、前記第１のボールソケットには、外径が小さめの第１のマッサージ球体が取り付けられ、前記第２のボールソケットには、外形が大き目の第２のマッサージ球体が取り付けられることが好ましい。
【０００８】
互いに隣接した前記ボールソケット間には補強リブが接続されることが好ましい。
【０００９】
前記マッサージ盤は、回転ベース中に取り付けられ、前記回転ベースは、モータの回転軸に接続され、前記モータの前記回転軸により前記回転ベース上の前記マッサージ盤が回転されることが好ましい。
【図面の簡単な説明】
【００１０】
【図１】本考案の第１実施形態に係る精密マッサージ盤構造を示す斜視図である。
【図２】本考案の第１実施形態に係る精密マッサージ盤構造を示す分解斜視図である。
【図３】本考案の第１実施形態に係る精密マッサージ盤構造を示す平面図である。
【図４】図３の線４−４に沿った断面図である。
【図５】本考案の第１実施形態に係る精密マッサージ盤構造を使用するときの状態を示す模式図（１）である。
【図６】本考案の第１実施形態に係る精密マッサージ盤構造を使用するときの状態を示す模式図（２）である。
【図７】本考案の第２実施形態に係る精密マッサージ盤構造を示す斜視図である。
【図８】本考案の第２実施形態に係る精密マッサージ盤構造を示す平面図である。
【図９】図８の線９−９に沿った断面図である。
【図１０】本考案の第３実施形態に係る精密マッサージ盤構造を示す斜視図である。
【図１１】本考案の第３実施形態に係る精密マッサージ盤構造を示す平面図である。
【図１２】図１１の線に沿った断面図である。
【図１３】本考案の第３実施形態に係る精密マッサージ盤構造を使用するときの状態を示す模式図である。
【図１４】本考案の第４実施形態に係る精密マッサージ盤構造を示す分解斜視図である。
【図１５】本考案の第４実施形態に係る精密マッサージ盤構造を示す断面図である。
【図１６】本考案の第４実施形態に係る精密マッサージ盤構造を使用するときの状態を示す模式図である。
【考案を実施するための形態】
【００１１】
以下、本考案の実施形態について図に基づいて説明する。なお、これによって本考案が限定されるものではない。
【００１２】
（第１実施形態）
図１〜図６を参照する。図１は、本考案の第１実施形態に係る精密マッサージ盤構造を示す斜視図である。図２は、本考案の第１実施形態に係る精密マッサージ盤構造を示す分解斜視図である。図３は、本考案の第１実施形態に係る精密マッサージ盤構造を示す平面図である。図４は、図３の線４−４に沿った断面図である。図５は、本考案の第１実施形態に係る精密マッサージ盤構造を使用するときの状態を示す模式図（１）である。図６は、本考案の第１実施形態に係る精密マッサージ盤構造を使用するときの状態を示す模式図（２）である。
【００１３】
図１〜図６に示すように、本考案の第１実施形態に係るマッサージ盤１０は、円盤体である。マッサージ盤１０は、内輪に設けられた内径が小さめの複数の第１のボールソケット１１と、外輪に設けられた内径が大き目の複数の第２のボールソケット１２と、を含む。第１のボールソケット１１の内側には、第１のマッサージ球体Ｒ１の外径に合致する第１の円弧部１１１が設けられる。第１の円弧部１１１は、第１のマッサージ球体Ｒ１を取り付けるために用いる。第２のボールソケット１２の内側には、第２のマッサージ球体Ｒ２の外径に合致する第２の円弧部１２１が設けられる。第２の円弧部１２１は、第２のマッサージ球体Ｒ２を取り付けるために用いる。この構成により第１のマッサージ球体Ｒ１及び第２のマッサージ球体Ｒ２は、頂部及び底部が第１のボールソケット１１及び第２のボールソケット１２から露出されて自由に転動する。マッサージ盤１０の上下両辺から露出された第１のマッサージ球体Ｒ１及び第２のマッサージ球体Ｒ２により人体の血液循環を促進させ、人体に対して深層気体旋回流マッサージを行うことができる。
【００１４】
（第２実施形態）
図７〜図９を参照する。図７は、本考案の第２実施形態に係る精密マッサージ盤構造を示す斜視図である。図８は、本考案の第２実施形態に係る精密マッサージ盤構造を示す平面図である。図９は、図８の線９−９に沿った断面図である。図７〜図９に示すように、本考案の第２実施形態に係るマッサージ盤１０は、円盤体である。マッサージ盤１０の内輪及び外輪には、内径が等しい複数の第１のボールソケット１１及び第２のボールソケット１２が設けられる。第１のボールソケット１１及び第２のボールソケット１２の内側には、第１のマッサージ球体Ｒ１及び第２のマッサージ球体Ｒ２の外径に合致する第１の円弧部１１１及び第２の円弧部１２１がそれぞれ設けられる。第１の円弧部１１１及び第２の円弧部１２１は、第１のマッサージ球体Ｒ１及び第２のマッサージ球体Ｒ２をそれぞれ取り付けるために用いる。第１のマッサージ球体Ｒ１及び第２のマッサージ球体Ｒ２は、頂部及び底部が第１のボールソケット１１及び第２のボールソケット１２から露出されて自由に転動し、マッサージ盤１０の上下両辺から露出された第１のマッサージ球体Ｒ１及び第２のマッサージ球体Ｒ２により人体の血液循環を促進させ、人体に対して深層気体旋回流マッサージを行う。
【００１５】
（第３実施形態）
図１０〜図１３を参照する。図１０は、本考案の第３実施形態に係る精密マッサージ盤構造を示す斜視図である。図１１は、本考案の第３実施形態に係る精密マッサージ盤構造を示す平面図である。図１２は、図１１の線に沿った断面図である。図１３は、本考案の第３実施形態に係る精密マッサージ盤構造を使用するときの状態を示す模式図である。図１０〜図１３に示すように、本考案の第３実施形態に係るマッサージ盤１０は、楕円盤体である。マッサージ盤１０の内輪及び中間輪には、内径が小さめの複数の第１のボールソケット１１が設けられる。マッサージ盤１０の外輪には、内径が大き目の複数の第２のボールソケット１２が設けられる。第１のボールソケット１１及び第２のボールソケット１２の内側には、第１のマッサージ球体Ｒ１及び第２のマッサージ球体Ｒ２の外径に合致した第１の円弧部１１１及び第２の円弧部１２１が設けられる。第１の円弧部１１１及び第２の円弧部１２１は、第１のマッサージ球体Ｒ１及び第２のマッサージ球体Ｒ２を取り付けるために用いる。第１のマッサージ球体Ｒ１及び第２のマッサージ球体Ｒ２は、頂部及び底部が第１のボールソケット１１及び第２のボールソケット１２から露出されて自由に転動する。互いに隣接したボールソケット１１，１２間には補強リブ１３が接続され、マッサージ盤１０の上下両辺から露出された第１のマッサージ球体Ｒ１及び第２のマッサージ球体Ｒ２により、人体の血液循環を促進させ、人体に対して深層気体旋回流マッサージを行う。
【００１６】
（第４実施形態）
図１４〜図１６を参照する。図１４は、本考案の第４実施形態に係る精密マッサージ盤構造を示す分解斜視図である。図１５は、本考案の第４実施形態に係る精密マッサージ盤構造を示す断面図である。図１６は、本考案の第４実施形態に係る精密マッサージ盤構造を使用するときの状態を示す模式図である。図１４〜図１６に示すように、本考案の第４実施形態に係るマッサージ盤１０は、回転ベース２０中に取り付けられる。回転ベース２０は、モータ３０の回転軸３１に接続され、モータ３０の回転軸３１により回転ベース２０上のマッサージ盤１０が回転されると、マッサージ盤１０の外縁から露出された第１のマッサージ球体Ｒ１及び第２のマッサージ球体Ｒ２により人体の血液循環を促進させ、人体に対して深層気体旋回流マッサージを行う。
【００１７】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００１８】
１０    マッサージ盤
１１    第１のボールソケット
１２    第２のボールソケット
１３    補強リブ
２０    回転ベース
３０    モータ
３１    回転軸
１１１  第１の円弧部
１２１  第２の円弧部
Ｒ１  第１のマッサージ球体
Ｒ２  第２のマッサージ球体
【図１】
0003188324.tif 000003
【図２】
0003188324.tif 000004
【図３】
0003188324.tif 000005
【図４】
0003188324.tif 000006
【図５】
0003188324.tif 000007
【図６】
0003188324.tif 000008
【図７】
0003188324.tif 000009
【図８】
0003188324.tif 000010
【図９】
0003188324.tif 000011
【図１０】
0003188324.tif 000012
【図１１】
0003188324.tif 000013
【図１２】
0003188324.tif 000014
【図１３】
0003188324.tif 000015
【図１４】
0003188324.tif 000016
【図１５】
0003188324.tif 000017
【図１６】
0003188324.tif 000018